(57)【特許請求の範囲】
【請求項１】
少なくとも対向面が撥水性材料でコーティングされた下部ホルダーカバーおよび上部ホルダーカバーからなるホルダーカバーと、
先端部に前記ホルダーカバーに収納される採液用ろ紙を有し、かつ、この採液用ろ紙を前記ホルダーカバーから突出させるための取手部を有する採液部材と
を具備し、
前記採液用ろ紙の先端が、前記ホルダーカバーの先端より内側に収納される
ことを特徴とするホルダーカバー付採液具。
【請求項２】
前記採液部材とホルダーカバーとの間の摩擦抵抗が、前記取手部を操作することにより、前記採液用ろ紙がホルダーカバーから突出し、かつ、前記採液部材が自由に移動しない大きさであることを特徴とする請求項１記載のホルダーカバー付採液具。
【請求項３】
前記下部ホルダーカバーを、前記上部ホルダーカバーより長く形成して、該下部ホルダーカバーの端部に前記取手部を接着させたことを特徴とする請求項１又は２記載のホルダーカバー付採液具。
【請求項４】
前記下部ホルダーカバーの端部を前記取手部より長くして、前記取手部の上面方向に折り曲げた返し部を形成したことを特徴とする請求項３記載のホルダーカバー付採液具。
【請求項５】
前記取手部を、前記ホルダーカバーの長手方向に移動自在に、前記ホルダーカバーの幅方向に突設したことを特徴とする請求項１又は２記載のホルダーカバー付採液具。
【請求項６】
前記取手部を、回転自在に支持されたローラとし、当該ローラの回動に応動して、前記採液用ろ紙が前記ホルダーカバーから突出することを特徴とする請求項１又は２記載のホルダーカバー付採液具。
【請求項７】
前記ホルダーカバーの先端を拡大し、前記採液用ろ紙の非接触空間を設けたことを特徴とする請求項１〜６のいずれかに記載のホルダーカバー付採液具。
【請求項８】
前記採液用ろ紙を複数の検査に使用できるように、当該採液用ろ紙に分割するためのカット部を形成したことを特徴とする請求項１〜７のいずれかに記載のホルダーカバー付採液具。
【発明の詳細な説明】
【０００１】
【発明の属する技術分野】
本発明は、血液などの液体を採液するホルダーカバー付採液具に関し、特に、エイズ，肝炎，成人Ｔ細胞白血病，梅毒等の感染症の検査を採血により行なう際に使用するホルダーカバー付採液具に関する。
【０００２】
【従来の技術】
従来、種々のカバー付採血用ろ紙に関する技術が考案，提供されている。
たとえば、実開昭６２−１７４５０７号において、上部カバーと下部カバーからなる収納容器を形成し、下部カバーの長手方向の基端部に摺動部材を接着し、さらに、摺動部材の先端部に採血用ろ紙を接着した構造のカバー付採血用ろ紙が提案されている。このカバー付採血用ろ紙は、実用化され広く歯科医師らによって使用されてきた。
【０００３】
【発明が解決しようとする課題】
しかしながら、上記カバー付採血用ろ紙は、より使いやすくするためには、次の点で改善の余地があった。
その一つは、基端部を強い力で押したりすると、摺動部材が折れ曲がり採血用ろ紙を収納容器から十分突出させることができなくなる点である。
【０００４】
なお、この点の改善を目的として、実公平３−２７６１２号において、押出レバーを採血用ろ紙に対して垂直方向に突設した採血用器具が提案されたが、上記改善を行なうことができるものの、構造が複雑になるといった短所があった。
また、上記改善は、製造コストが従来品より高くならないように、構造をできるだけ単純化して行なう必要があることは勿論である。
【０００５】
他の一つは、実開昭６２−１７４５０７号及び実公平３−２７６１２号において提案された採血用ろ紙は、先端部が収納容器の端部と同じ位置にあるために、採血用ろ紙の先端部が収納容器の内部に完全に収納されず、採血された血液がカバーの先端外部に付着してしまう点である。
【０００６】
本発明は、上記の改善点に鑑みなされたもので、単純化された構造で、採液用ろ紙の移動をスムースに行なうことを可能とし、さらに、採液された血液がカバーの外部に付着しないように、採液用ろ紙を完全に収納できるようにしたホルダーカバー付採液具の提供を目的とする。
【０００７】
【課題を解決するための手段】
上記目的を達成するため本発明の請求項１記載のホルダーカバー付採液具は、少なくとも対向面が撥水性材料でコーティングされた下部ホルダーカバーおよび上部ホルダーカバーからなるホルダーカバーと、先端部に前記ホルダーカバーに収納される採液用ろ紙を有し、かつ、この採液用ろ紙を前記ホルダーカバーから突出させるための取手部を有する採液部材とを具備し、前記採液用ろ紙の先端が、前記ホルダーカバーの先端より内側に収納される構成としてある。
【０００８】
このようにすると、採液用ろ紙をホルダーカバー内に確実に収納できるので、採液した血液がカバー外部に付着するのを効果的に防止することができる。
【０００９】
請求項２記載の発明は、上記請求項１記載のホルダーカバー付採液具において、前記採液部材とホルダーカバーとの間の摩擦抵抗を、前記取手部を操作することにより、前記採液用ろ紙がホルダーカバーから突出し、かつ、前記採液部材が自由に移動しない大きさとした構成としてある。
【００１０】
このようにすると、ホルダーカバー付採液具の使用者は、採液用ろ紙の採液部をホルダーカバーから容易に突出させることができ、たとえば、採液用ろ紙が折れ曲がり、採液部をホルダーカバーから必要な距離だけ突出させることができないといった不具合を効果的に防止することができる。
さらに、採液用ろ紙の突出した状態が自動的に維持されるので、採液作業を容易に行なうことができ、また、血液の付着した採液用ろ紙の収納された状態も維持されるので、血液の露出を防止することができる。
【００１１】
請求項３記載の発明は、上記請求項１又は２記載のホルダーカバー付採液具において、前記下部ホルダーカバーを、前記上部ホルダーカバーより長く形成して、該下部ホルダーカバーの端部に前記取手部を接着させた構成としてある。
【００１２】
このようにすると、ホルダーカバー付採液具構造を複雑化することなく、採液部材をスムースに移動させることができる。
【００１３】
請求項４記載の発明は、上記請求項３記載のホルダーカバー付採液具において、前記下部ホルダーカバーの端部を前記取手部より長くして、前記取手部の上面方向に折り曲げた返し部を形成した構成としてある。
【００１４】
このようにすると、取手部の上面も下部ホルダーカバーで覆われるので、取手部を指で摘まむ際に、血液に対して多層構造による十分な安全性を確保することができる。
【００１５】
請求項５記載の発明は、上記請求項１又は２記載のホルダーカバー付採液具において、前記取手部を、前記ホルダーカバーの長手方向に移動自在に、前記ホルダーカバーの幅方向に突設した構成としてある。
【００１６】
このような構成とすることによっても、請求項３記載のホルダーカバー付採液具と同様に、採液用ろ紙の採液部をホルダーカバーから容易に突出させることができる。
【００１７】
請求項６記載の発明は、上記請求項１又は２記載のホルダーカバー付採液具において、前記取手部を、回転自在に支持されたローラとし、当該ローラの回動に応動して、前記採液用ろ紙が前記ホルダーカバーから突出する構成としてある。
【００１８】
また、このような構成とすることによっても、請求項３記載のホルダーカバー付採液具と同様に、採液用ろ紙の採液部をホルダーカバーから容易に突出させることができる。
【００１９】
請求項７記載の発明は、上記請求項１〜６のいずれかに記載のホルダーカバー付採液具において、前記ホルダーカバーの先端を拡大し、前記採液用ろ紙の非接触空間を設けた構成としてある。
【００２０】
このようにすると、たとえば、採血などした採液用ろ紙をホルダーカバーに収納する際に、ホルダーカバーの先端が採液用ろ紙と接触して、カバー先端の外部に血液が付着することをより確実に防止することができる。
【００２１】
請求項８記載の発明は、上記請求項１〜７のいずれかに記載のホルダーカバー付採液具において、前記採液用ろ紙を複数の検査に使用できるように、当該採液用ろ紙に分割するためのカット部を形成した構成としてある。
【００２２】
このようにすると、通常、一枚の採液用ろ紙は、一つの検査のみに用いられ、複数の検査項目の検査を行なう際には、複数の採液用ろ紙に複数回採液しなければならなかったのに対し、たとえば、一枚のこの採液用ろ紙で採血した血液を、検査する段階において、カット部によって容易に分割して、複数の検査を行なうことができる。
【００２３】
【発明の実施の形態】
以下、本発明のホルダーカバー付採液具の各実施形態について、図面を参照して説明する。
まず、本発明におけるホルダーカバー付採液具の第一実施形態について、図１及び図２を参照して説明する。
【００２４】
「第一実施形態」
図１は、本発明の第一実施形態にかかるホルダーカバー付採液具の構造を説明するための概略拡大図である。
また、図２は、本発明の第一実施形態にかかるホルダーカバー付採液具の動作を説明するための概略拡大外観図であり、（ａ）は採液用ろ紙が収納された状態を示しており、（ｂ）は採液用ろ紙が突出した状態を示している。
【００２５】
まず、図１にもとづき、ホルダーカバー付採液具の構造について説明する。
同図において、ホルダーカバー付採液具は、返し部１４を有する細長い形状の下部ホルダーカバー１と、細長い形状であり、長手方向の両端にそれぞれ採液用ろ紙２１と取手部２２を有する採液部材２と、採液用ろ紙２１を除く採液部材２の上面を覆うように接着された補強部材３と、下部ホルダーカバー１の採液用ろ紙２１側の端部から補強部材３の一部までの下部ホルダーカバー１を覆う形状であり、幅方向の両端部が下部ホルダーカバー１に接着された上部ホルダーカバー４とからなっている。
【００２６】
ここで、下部ホルダーカバー１は、上面が撥水性材料であるビニールでビニールコーティング１１された紙としてある。
なお、この下部ホルダーカバー１は、上記材料に限定されるものではなく、少なくとも上部ホルダーカバー４との対向面が撥水性材料でコーティングされた材料であればよい。
また、紙などにコーティングを施した材料に限定するものでもなく、プラスチックなどの撥水性を有する材料でもよいことは勿論である。
【００２７】
このビニールコーティング１１は、採液部材２との摩擦係数が、後で説明するホルダーカバー５の長手方向の両端部を摘まんで採液部材２の取手部２２を採液用ろ紙２１方向に移動させると、採液用ろ紙２１がホルダーカバー５から突出し、さらに、採液部材２とビニールコーティング１１が、採液用ろ紙２１の突出した状態を維持する摩擦抵抗を有する構成としてある。
【００２８】
このように、採液部材２とビニールコーティング１１の摩擦抵抗を設定することにより、採液部材２の移動をスムースに行なうことができ、採液部材２が折れ曲がるといった不具合を効果的に防止する。
ここで、この摩擦抵抗を決定する要素は、採液用ろ紙２１とビニールコーティング１１の材質，表面粗さ，形状及び大きさなどであり、これら要素を総合的に検討して決定する必要があることは勿論である。
なお、下部ホルダーカバー１と上部ホルダーカバー４は、隙間のないように採液部材を挟んで、ほぼ平坦状に貼りあわせてある。
【００２９】
また、下部ホルダーカバー１の採液用ろ紙２１側の先端部（後で説明するホルダーカバー５の出入口５１部分）に、たとえば、血液の付着した採液用ろ紙２１を、収納しやすくするために、先端側が拡開する空間部１６を形成するとよく、このように、ホルダーカバー５の先端を拡大すると、採血した採液用ろ紙２１をホルダーカバー５に収納する際に、ホルダーカバー５の先端部が採液用ろ紙２１と接触して、先端部に血液が付着することをより確実に防止することができる。また、上部ホルダーカバー４には、同様に、先端側に拡開する空間部４２を形成してある。
【００３０】
また、下部ホルダーカバー１及び上部ホルダーカバー４を、半透明な材質とするとよく、このようにすると、たとえば、採液用ろ紙の採血量（血液の付着した面積）を目視により容易に確認することができ、確認における作業性を向上させることができる。
【００３１】
さらに、下部ホルダーカバー１を採液部材２の取手部２２より突出させて返し部１４を形成し、返し部１４を補強部材３の上面方向に折り曲げて、幅方向の両端部を下部ホルダーカバー１に接着するとよく、このようにすると、指で摘まむ取手部の上面も下部ホルダーカバーで覆われるので、血液に触れることがなく、多層構造による十分な安全性を確保することができる。
【００３２】
また、返し部１４の補足的な効果として、下部ホルダーカバー１は、幅方向の両端部に塗布された接着剤１３により上部ホルダーカバー４と接着され、さらに、同様に、幅方向の両端部に塗布された接着剤１５により返し部１４と接着されることにより、ホルダーカバー１と取手部２２付近の下部ホルダーカバー１が二枚重ね構造を有する。
【００３３】
このようにすると、これらの二重構造を有する部分に比べて、ホルダーカバー５と返し部１４間の下部ホルダーカバー１の強度が相対的により低下し、取手部２２を移動させて採液用ろ紙２１をホルダーカバー５から突出させる際に、ホルダーカバー５と返し部１４間の下部ホルダーカバー１が曲がりやすくなり、採液用ろ紙２１をホルダーカバー５から極めて容易に突出させることができ、採液部材２が折れ曲がるといった不具合を補助的に防止する。
【００３４】
また、採液部材２は、構造を単純化するために、採液用ろ紙２１と同じ材質としてあり、幅が下部ホルダーカバー１の幅より短くかつ長さが下部ホルダーカバー１の長さより短い大きさとしてあり、採液用ろ紙２１が下部ホルダーカバー１上に載置されるように、取手部２２の下面が下部ホルダーカバー１の長手方向の端部上面に、接着剤１２により接着してある。
【００３５】
ここで、好ましくは、採液用ろ紙２１をホルダーカバー５から突出させるために移動させない状態で、採液用ろ紙２１先端が、ホルダーカバー５の先端より１ｍｍ〜３ｍｍ内側に位置する構成とするとよく、このようにすると、採液した採液用ろ紙２１を露出させることなくホルダーカバー５内に完全にかつ好適に収納できる。
【００３６】
つまり、上記のように１ｍｍ〜３ｍｍ内側に位置する構成とすることにより、採液用ろ紙２１の先端とホルダーカバー５の先端との間が短かすぎてカバー外部に採液用ろ紙２１が露出する危険があるといった不具合を回避できる。
【００３７】
補強部材３は、採液部材２の物理的強度を補強することにより、具体的には、採液部材２を移動させる力に対して折れ曲がらない強度を有する補強部材とすることにより、採液部材２を移動させる際に、採液部材２が折れ曲がることを効果的に防止している。
【００３８】
ここで、補強部材３は、撥水性を有する紙からなる補強部材とするとよく、このようにすると、採液部材２の中央部を越えて、たとえば、血液が浸透してきた場合であっても、取手部２２で血液と接触することを防止することができ、また、ホルダーカバー付採液具を使用する者に、心理的安心感を与える効果がある。
【００３９】
上部ホルダーカバー４は、下部ホルダーカバー１と同様に、下面がビニールコーティング４１された紙からなり、下部ホルダーカバー１とともにホルダーカバーを形成する。
つまり、下部ホルダーカバー１と上部ホルダーカバー４によって、収納容器としての機能を有するホルダーカバー５を形成する。
このようにすると、採液する液体が、たとえば、感染症の病原体を有する血液であっても、安全に収納することができる。
【００４０】
続いて、図２にもとづき、本実施形態にかかるホルダーカバー付採液具の動作及び作用について説明する。
同図（ａ）において、ホルダーカバー付採液具は、側面から見るとほぼ直線状の形状であり、図示してないが、ホルダーカバー５の先部を左手で摘まんで、さらに、右手で返し部１４を掴んで、出入口５１方向（突出方向）に容易に移動させることができる。
【００４１】
ここで、ホルダーカバー付採液具は、上記ビニールコーティング１１，４１と採液部材２（補強部材３を含む。）の摩擦抵抗による効果，及び補強部材３による補強の効果及び補足的なホルダーカバー５と返し部１４を二重構造とした効果によって、同図（ｂ）に示すように、採液部材２が折れ曲がることなく、ホルダーカバー５と返し部１４間の下部ホルダーカバー１が好適に曲がることにより、採液用ろ紙２１がホルダーカバー５から突出する。
【００４２】
また、下部ホルダーカバー１の曲がった部分はもとの形状に復元しようとする力を微小ながら発生させるが、上記ビニールコーティング１１，４１と採液部材２の摩擦抵抗による効果によって、曲がった状態が維持されるので、容易に採液作業を行なうことができる。
また、補強部材３の上面に、図示するような位置合わせマークを付けるとよく、このようにすると、採液用ろ紙２１の適正な突出量を使用者に知らせることができる。
【００４３】
上述したように、本実施形態におけるホルダーカバー付採液具によれば、ホルダーカバー付採液具の使用者は、採液用ろ紙の採液部をホルダーカバーから容易に突出させることができ、たとえば、採液用ろ紙が折れ曲がってしまい、採液部をホルダーカバーから必要な長さ分まで突出させることができないといった不具合を効果的に防止することができる。
【００４４】
＜実施例＞
続いて、本実施形態のホルダーカバー付採液具の実施例について、図１を参照して説明する。なお、本実施例は、採液する液体を血液とした。
下部ホルダーカバー１は、幅約１８ｍｍ×長さ約７５ｍｍの長方形状とし、さらに、長さ約１０ｍｍの返し部１４を形成した形状とした。また、材質は、製品規格：約５２ｇ／ｍ２＋ＰＥ２０のポリエチレン・ラミネート紙（上質紙）とした。
なお、接着剤１３は、幅約３ｍｍ×長さ約４０ｍｍの長方形状の範囲に塗布し、接着剤１５は、幅約３ｍｍ×長さ約１０ｍｍの長方形状の範囲に塗布した。
【００４５】
採血用ろ紙からなる採液部材２は、幅約６ｍｍ×長さ約７３ｍｍの長方形状とした。また、取手部２２は、接着剤１２（幅約６ｍｍ×長さ約１０ｍｍの長方形状の範囲に塗布した。）により下部ホルダーカバー１に接着した。
また、採液用ろ紙２１として、メーカ：東洋濾紙株式会社，材質名称：検査用ろ紙，商品名：ＭＰ−１０１Ａ０３，製品規格：約１８５ｇ／ｍ２及び厚さ約０．４５ｍｍの製品仕様のろ紙を用いた。なお、このろ紙は、好適に血液を吸収することができた。
【００４６】
補強部材３は、幅約６ｍｍ×長さ約４０ｍｍの長方形状とし、下面全体を接着剤２３により取手部２２に接着した。
また、補強部材３として、メーカ：王子油化株式会社，材質名称：炭酸カルシウム含有ポリプロピレン（ＰＰ）ベース合成紙，商品名：ＮＥ−ＴａＫ，型番：ユポ１３０ＳＷの製品仕様の紙を用いた。
【００４７】
上部ホルダーカバー４は、幅約１８ｍｍ×長さ約４０ｍｍの長方形状とし、接着剤１３により下部ホルダーカバー１に接着した。
また、材質は、下部ホルダーカバー１と同様とした。
【００４８】
上記実施例におけるホルダーカバー付採液具は、採液部材２が折れ曲がることなく、採液部材２を移動させて採液用ろ紙２１をホルダーカバー５から突設させることができた。
また、採液用ろ紙２１が突設した状態を維持することができるので、返し部１４を摘まんで、狭い場所（たとえば、口内の出血部）から容易に採血することができた。
【００４９】
また、採液用ろ紙２１に血液を吸収させ、採液用ろ紙２１の表面を自然に乾かしてから、取手部２２を収納方向に移動させることにより、血液をホルダーカバー５の先端部などに付着，露出させことなく、採液用ろ紙２１をホルダーカバー５に収納させることができた。
具体的な収納状態としては、ホルダーカバー５の先端から、約２ｍｍ内側に採液用ろ紙２の先端部が位置し、かつ、出入口５１に形成した空間部１６，４２によりホルダーカバー５の先端部に血液が付着しなかった。
【００５０】
また、ホルダーカバー付採液具は、採液用ろ紙２１を収納した状態を維持することができ、さらに、ホルダーカバー５が半透明となっているので、採血量の再確認を容易に行なうことができた。
【００５１】
このように、本実施例におけるホルダーカバー付採液具によって、採液用ろ紙をホルダーカバーから容易に突出させることができ、たとえば、採液部材が折れ曲がってしまい、採液用ろ紙をホルダーカバーから必要な長さ分まで突出させることができないといった不具合を効果的に防止することができた。
また、ホルダーカバーの先端部に血液が付着しないので、使用者に安心感を与えることができ、さらに、採血量の確認を容易に行なうことができた。
【００５２】
なお、本実施例におけるホルダーカバー付採液具は、下部ホルダーカバー，採液部材，補強部材，上部ホルダーカバー及び返し部を、長方形状のハンドリングしやすい形状とし、かつ、これらを単純な積層構造としてあるので、製造するに際し、専用の生産装置により容易に自動化することができる。
【００５３】
次に、本発明におけるホルダーカバー付採液具の第二実施形態について、図３及び図４を参照して説明する。
「第二実施形態」
図３は、本発明の第二実施形態にかかるホルダーカバー付採液具の構造を説明するための概略拡大図である。
図４は、本発明の第二実施形態にかかるホルダーカバー付採液具の動作を説明するための概略拡大外観図である。
【００５４】
まず、図３にもとづき、ホルダーカバー付採液具の構造について説明する。
同図において、ホルダーカバー付採液具は、細長い長方形状の下部ホルダーカバー１ａと、細長い長方形状であり、長手方向の一端に採液用ろ紙２１を有しかつ他端に幅方向に突設された取手部２２ａを有する採液部材２ａと、採液用ろ紙２１を除く採液部材２ａの上面を覆うように接着された補強部材３ａと、下部ホルダーカバー１ａを覆う形状であり、採液部材２ａの出入口及び取手部２２ａが突出する開口部を除いた周縁部で下部ホルダーカバー１ａに接着された上部ホルダーカバー４ａとからなっている。
【００５５】
下部ホルダーカバー１ａは、採液部材２ａの取手部２２ａを長辺より突出させて、この取手部２２ａを長手方向に移動させる構成としてある。
このため、下部ホルダーカバー１ａは、取手部２２ａが突出されない側の端部に接着剤１３ａが塗布され、長手方向の端部に接着剤１５ａが塗布してある。
さらに、取手部２２ａが突出される側の端部に、取手部２２ａの移動距離“Ｌ”を確保した状態で、接着剤１３が塗布してある。
【００５６】
このようにすると、構造を複雑化することなく、採液部材２ａを長手方向に移動するための取手部２２ａを突出する開口部を形成することができる。
また、取手部２２ａは、移動距離“Ｌ”の範囲内で、自由に移動することができる。
なお、採液部材２ａを移動させる際に、スムースに移動させるように、ビニールコーティング１１，４１と採液部材２ａ（補強部材３を含む。）の摩擦抵抗を好適に設定する必要があることは、第一実施形態と同様としてある。
【００５７】
補強部材３ａは、採液部材２ａの物理的強度を補強することにより、採液部材２ａを移動させる際に、採液部材２ａが折れ曲がることを防止している。
また、本実施形態のホルダーカバー付採液具においては、取手部２２ａの下面に採液用ろ紙からなる採液部材２ａが露出する構造としてあるが、使用者に安心感を与えるために、補強部材３ａの鏡像となる形状の補強部材を採液部材２の下面に接着させてもよいことは勿論である。
【００５８】
上部ホルダーカバー４ａは、下部ホルダーカバー１ａとともにホルダーカバー５ａを形成する。
なお、その他の構造については、上記実施形態のホルダーカバー付採液具と同様とする。
【００５９】
続いて、図４にもとづき、本実施形態にかかるホルダーカバー付採液具の動作及び作用について説明する。
同図において、ホルダーカバー付採液具は、ホルダーカバー５ａの側面に、開口部５２が形成され、この開口部５２から取手部２２ａが突出してあり、さらに、この取手部２２ａを突出方向に移動することにより、採液部材２ａをホルダーカバー５ａの出入口５１ａから突出させることができる。
【００６０】
ここで、この突出量は、移動距離“Ｌ”の範囲内で、予め決定することができるので、初めての使用者にとっても、使用方法を容易に推測することができる。
また、このホルダーカバー付採液具は、上記ビニールコーティング１１，４１と採液部材２ａの摩擦抵抗による効果及び補強部材３ａによる補強の効果によって、折れ曲がることなく採液部材２ａをホルダーカバー５ａから突出させることができる。
【００６１】
そして、採液用ろ紙２１に、たとえば、血液を吸収させてから、取手部２２ａを移動させて採液用ろ紙２１をホルダーカバー５ａに収納させる。
ここで、採液用ろ紙２１をホルダーカバー５ａに収納させてから、取手部２２ａをホルダーカバー５ａ上に折り曲げるとよく、このようにすると、誤って取手部２２ａを移動させて、たとえば、血液の付着した採液用ろ紙２１が突出するのを防止することができる。
なお、その他の動作及び作用については、上記実施形態のホルダーカバー付採液具と同様とする。
【００６２】
上述したように、第二実施形態におけるホルダーカバー付採液具によっても、上記第一実施形態におけるホルダーカバー付採液具と同様に、ホルダーカバー付採液具の使用者は、採液部材の採液用ろ紙をホルダーカバーから容易に突出させることができ、たとえば、採液部材が折れ曲がってしまい、採液用ろ紙をホルダーカバーから必要な長さ分まで突出させることができないといった不具合を効果的に防止することができる。
【００６３】
次に、本発明におけるホルダーカバー付採液具の第三実施形態について、図５を参照して説明する。
「第三実施形態」
図５は、本発明の第三実施形態にかかるホルダーカバー付採液具の概略拡大図であり、（ａ）は平面図を示しており、（ｂ）はＡ−Ａ線における断面図を、（ｃ）はＢ−Ｂ線における断面図を示している。
【００６４】
まず、同図（ａ）にもとづき、ホルダーカバー付採液具の構造について説明する。
同図（ａ）において、ホルダーカバー付採液具は、円筒部と板状部からなるホルダーカバー本体１ｂと、このホルダーカバー本体１ｂの側面形状に対応した平板状のホルダーカバーふた４ｂと、円筒部内に回転自在に支持されたローラ６と、このローラ６の円周面（接着部６４）に一端が接着され、他端に採液部を有する採液部材２ｂとからなっている。
また、ホルダーカバー５ｂは、ホルダーカバー本体１ｂとホルダーカバーふた４ｂからなり、ローラ６及び採液部材２ｂを収納する構成としてある。
【００６５】
同図（ｂ）において、採液部材２ｂは、ローラ６，ローラ軸６１，回転制御溝６３内を移動する回転制御ピン１７，及びつまみ６２により、好適に出入口５１ｂから突出され、また、ホルダーカバー５ｂ内に収納される構成としてある。
また、ホルダーカバー５ｂは、出入口５１ｂに空間部１６ｂが形成してある。
【００６６】
なお、本実施形態では、ホルダーカバー５ｂと採液部材２ｂの摩擦抵抗の代りに、図示してないが、回転制御溝６３の両端部に、回転制御ピン１７と係止する係止部を設けることにより、採液部材２の位置を維持させる構成としてある。
また、このような構成とすることにより、補強部材を用いなくても、採液部材２ｂをスムースに移動し、かつ、採液用ろ紙２１ｂを突出，収納した位置に維持させることができる。
【００６７】
また、ホルダーカバー５ｂ及びホルダーカバーふた４ｂには、カット部２４を利用して採液部材２ｂを分割しやすいように、Ｖ字溝１８が形成してあり、この部分から容易に板状部と取り外すことができる。
なお、採液用ろ紙２１ｂの材質などその他の構造，動作及び作用については、第一実施形態のホルダーカバー付採液具と同様とする。
【００６８】
このような構成のホルダーカバー付採液具によっても、第一実施形態および第二実施形態におけるホルダーカバー付採液具と同様の効果を得ることができる。
【００６９】
なお、本発明に係るホルダーカバー付採液具は、上述した構成の採液具に限定するものではなく、たとえば、上部ホルダーカバー及び下部ホルダーカバーに形成した空間部は、採液する量が少ないときは、どちらか一方のホルダーカバーにのみ形成してもよく、場合によっては省略することもできる。
【００７０】
また、採液部材は、図５（ｃ）に示すように、幅広のろ紙を採液用ろ紙２１として用い、複数の検査に使用できるように、分割するためのカット部２４を、採液用ろ紙２１ｂからなる採液部材２ｂに形成した構成としてもよい。
このようにすると、通常、一枚の採液用ろ紙は、一つの検査のみに用いられ、複数の検査項目の検査を行なう際には、複数の採液用ろ紙に複数回採液しなければならなかったのに対し、一枚の採液用ろ紙で採液した、たとえば、血液を、検査する段階において、カット部によって容易に分割して、複数の検査を行なうことができる。
【００７１】
さらにまた、本発明に係るホルダーカバー付採液具は、実施例として、採液する液体を血液とした例について説明したが、血液に限定するものではなく、尿、唾液などのその他の液体に用いることができることは勿論である。
【００７２】
【発明の効果】
以上説明したように、本発明のホルダーカバー付採液具によれば、ホルダーカバー付採液具の使用者は、採液用ろ紙の採液部をホルダーカバーから容易にかつスムースに突出させることができ、たとえば、採液用ろ紙が折れ曲がってしまい、採液部をホルダーカバーから必要な長さ分まで突出させることができないといった不具合を効果的に防止することができる。
【００７３】
また、本発明のホルダーカバー付採液具によれば、ホルダーカバーの先端より内側に採液用ろ紙の先端を収納することができるので、採液した液体、例えば、血液の露出を効果的に防止することができる。
【図面の簡単な説明】
【図１】図１は、本発明の第一実施形態にかかるホルダーカバー付採液具の構造を説明するための概略拡大図である。
【図２】図２は、本発明の第一実施形態にかかるホルダーカバー付採液具の動作を説明するための概略拡大外観図であり、（ａ）は採液用ろ紙が収納された状態を示しており、（ｂ）は採液用ろ紙が突出した状態を示している。
【図３】図３は、本発明の第二実施形態にかかるホルダーカバー付採液具の構造を説明するための概略拡大図である。
【図４】図４は、本発明の第二実施形態にかかるホルダーカバー付採液具の動作を説明するための概略拡大外観図である。
【図５】図５は、本発明の第三実施形態にかかるホルダーカバー付採液具の概略拡大図であり、（ａ）は平面図を示しており、（ｂ）はＡ−Ａ線における断面図を、（ｃ）はＢ−Ｂ線における断面図を示している。
【符号の説明】
１，１ａ，  下部ホルダーカバー
１ｂ  ホルダーカバー本体
２，２ａ，２ｂ  採液部材
３，３ａ  補強部材
４，４ａ，  上部ホルダーカバー
４ｂ  ホルダーカバーふた
５，５ａ，５ｂ  ホルダーカバー
６  ローラ
１１、４１  ビニールコーティング
１２，１３，１５  接着剤
１３ａ，１５ａ  接着剤
１４  返し部
１６，４２，１６ｂ  空間部
１７  回動制御ピン
１８  Ｖ字溝
２１，２１ｂ  採液用ろ紙
２２，２２ａ  取手部
２３  接着剤
２４  カット部
５１，５１ａ，５１ｂ  出入口
５２  開口部
６１  ローラ軸
６２  つまみ
６３  回動制御溝
６４  接着部
【図１】
0004502473.tif 000002
【図２】
0004502473.tif 000003
【図３】
0004502473.tif 000004
【図４】
0004502473.tif 000005
【図５】
0004502473.tif 000006